(57)【要約】【課題】簡単な構造でレンズキャップが装着されているか否かを検出できる撮影装置を提供する。【解決手段】撮影装置（１０）を、撮影レンズを保護するキャップ（１６）が着脱可能に装着される装着部（１２ａ）と、前記撮影レンズを透過した透過光を受光し、輝度情報を出力する第１の受光部（１８）と、前記第１の受光部が出力する前記輝度情報を含む光の明るさに関する情報のみに基づいて前記装着部に前記キャップが装着されているか否かを判定する判定部（２６ａ）と、前記判定部の出力に応じて所定の動作制御を行う制御部（２６）とを備える構成とした。【選択図】図１
2008158058.tif 000002
【特許請求の範囲】
【請求項１】
撮影レンズを保護するキャップが着脱可能に装着される装着部と、
前記撮影レンズを透過した透過光を受光し、輝度情報を出力する第１の受光部と、
前記第１の受光部が出力する前記輝度情報を含む光の明るさに関する情報のみに基づいて前記装着部に前記キャップが装着されているか否かを判定する判定部と、
前記判定部の出力に応じて所定の動作制御を行う制御部と
を備える撮影装置。
【請求項２】
請求項１に記載の撮影装置において、
前記撮影レンズを介さずに光を受光し、この光に関する情報を出力する第２の受光部を備え、
前記光の明るさに関する情報には、前記第１の受光部の出力及び前記第２の受光部の出力が含まれること
を特徴とする撮影装置。
【請求項３】
請求項２に記載の撮影装置において、
前記判定部は、前記第１の受光部の出力及び前記第２の受光部の出力の差分に基づいて前記判定を行うこと
を特徴とする撮影装置。
【請求項４】
請求項１から請求項３までの何れか１項に記載の撮影装置において、
前記判定部は、前記第１の受光部の出力の変化に基づいて前記判定を行うこと
を特徴とする撮影装置。
【請求項５】
請求項４に記載の撮影装置において、
被写体に向けて光を発光する発光部を備え、
前記判定部は、前記発光部による発光時の前記第１の受光部の出力の変化に基づいて前記判定を行うこと
を特徴とする撮影装置。
【請求項６】
請求項５に記載の撮影装置において、
前記発光部は、オートフォーカス用の補助光発光装置、閃光発光装置、及び、セルフタイマーの作動状態を示す発光装置の少なくとも１つを含むこと
を特徴とする撮影装置。
【請求項７】
請求項１から請求項６までの何れか１項に記載の撮影装置において、
前記装着部を含む本体部と、
前記本体部に収容された収容位置と前記装着部から前記本体部の外部側に突き出した突出位置との間で移動可能な移動部とを備え、
前記制御部は、前記キャップが前記装着部に装着されている場合に前記移動部の前記収容位置から前記突出位置への移動を制限すること
を特徴とする撮影装置。
【請求項８】
請求項１から請求項７までの何れか１項に記載の撮影装置において、
前記制御部は、前記キャップが前記装着部に装着されている場合に警告を発すること
を特徴とする撮影装置。
【発明の詳細な説明】
【技術分野】
【０００１】
本発明は、撮影装置に関するものである。
【背景技術】
【０００２】
カメラ等の撮影装置は、レンズを保護するレンズキャップの装着状態を機械的なスイッチによって検出し、この結果によってレンズ鏡筒の収容状態からの繰り出し動作を制限するものが知られている（例えば、特許文献１参照）。
【特許文献１】特開２００２−２９６６４２号公報
【発明の開示】
【発明が解決しようとする課題】
【０００３】
しかし、従来のカメラは、機械的なスイッチによってレンズキャップの有無を検出するので、機構が複雑であるという問題があった。
本発明の課題は、簡単な構造でレンズキャップが装着されているか否かを検出できる撮影装置を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、撮影レンズを保護するキャップ（１６）が着脱可能に装着される装着部（１２ａ）と、前記撮影レンズを透過した透過光を受光し、輝度情報を出力する第１の受光部（１８）と、前記第１の受光部が出力する前記輝度情報を含む光の明るさに関する情報のみに基づいて前記装着部に前記キャップが装着されているか否かを判定する判定部（２６ａ）と、前記判定部の出力に応じて所定の動作制御を行う制御部（２６）とを備える撮影装置（１０）である。
なお、符号を付して説明した構成は、適宜改良してもよく、また、少なくとも一部を他の構成物に代替してもよい。
【発明の効果】
【０００５】
本発明によれば、簡単な構造でレンズキャップが装着されているか否かを検出できる撮影装置を提供できる。
【発明を実施するための最良の形態】
【０００６】
［第１実施形態］
以下、図面等を参照して、本発明の実施形態をあげて、さらに詳しく説明する。なお、以下の実施形態は、撮影装置としてデジタルカメラ（以下、単にカメラと称して説明する）を例にとって説明する。
第１実施形態のカメラは、非撮影時等において筐体に収容され、かつ、撮影時にその一部が筐体から突き出した状態とされる、いわゆる、沈胴式のレンズ鏡筒を備えるものである。
図１は、第１実施形態のカメラの構成を示す図である。
カメラ１０は、筐体１２、レンズ鏡筒１４、レンズキャップ１６、撮像部１８、液晶モニタ２０、照度センサ２２、ランプ２４、ＣＰＵ２６を備えている。
【０００７】
筐体１２は、例えば、合成樹脂材料や金属材料等によって箱形に形成されており、その内部に後述する撮像部１８、ＣＰＵ２６等を収容している。
筐体１２は、撮影時に被写体に面する面部（以下、正面部と称して説明する）に略円形の開口部が形成されている。後述するレンズ鏡筒１４は、その一部がこの開口部を通過可能となっている。
筐体１２は、後述するレンズキャップ１６が装着される部分である装着部１２ａを備えている。
装着部１２ａは、上述の開口部の周縁部から被写体側に突き出して設けられた円環状の部分であり、筐体１２に一体的に形成されている。装着部１２ａは、その内周面に雌ネジ部が形成されている。
【０００８】
レンズ鏡筒１４は、図示しない複数のレンズ群によって形成される撮影光学系を保持する部分であり、固定筒１４ａ、第１移動筒１４ｂ、第２移動筒１４ｃを備えている。
固定筒１４ａは、筐体１２に対する移動が制限された筒体である。
第１移動筒１４ｂは、固定筒１４ａに対して光軸方向に移動可能な筒体である。
第２移動筒１４ｃは、第１移動筒１４ｂに対して光軸方向に移動可能な筒体である。
カメラ１０は、例えば、撮影者によるズーム操作に応じて図示しないアクチュエータが作動し、このアクチュエータは、図示しないカム機構を介して第１移動筒１４ｂ及び第２移動筒１４ｃを撮影光学系の光軸方向に進退動作させるようになっている。第１移動筒１４ｂ及び第２移動筒１４ｃは、それぞれ撮影光学系を構成するレンズ群の一部を保持しており、撮影光学系は、これによって焦点距離が変更され、又は、オートフォーカス動作が行われるようになっている。
【０００９】
前述したようにレンズ鏡筒１４は、いわゆる、沈胴式のレンズであり、筐体１２に収容された収容状態と、その一部が筐体１２の開口部を通過して筐体１２の正面部から突き出した突出状態との間を移行可能になっている。レンズ鏡筒１４は、図１において実線で示される状態が収容状態であり、破線によって示される状態が突出状態である。
図１に示すように、レンズ鏡筒１４は、収容状態において、固定筒１４ａ、第１移動筒１４ｂ、及び、第２移動筒１４ｃのすべてが筐体１２に収容されている。
これに対し、突出状態においてレンズ鏡筒１４は、第１移動筒１４ｂが固定筒１４ａよりも光軸方向被写体側に繰り出され、第２移動筒１４ｃが第１移動筒１４ｂよりも光軸方向被写体側に繰り出されている。これにより、第１移動筒１４ｂ及び第２移動筒１４ｃは、それぞれその一部が筐体１２の正面部から突き出している。
【００１０】
レンズキャップ１６は、レンズ鏡筒１４が収容状態のときに筐体１２の装着部１２ａに装着され、レンズ鏡筒１４に備えられたレンズ群のうち、最も被写体側に配置されたレンズ群（以下、対物レンズ群と称して説明する）の入射面を保護するものである。
レンズキャップ１６は、円盤状に形成され、その一方の面部に装着部１２ａの雌ネジ部に螺合可能な雄ネジ部１６ａが形成されている。以下、レンズキャップ１６の面部のうち、この雄ネジ部１６ａが設けられた面部を裏面部と称して説明する。
【００１１】
撮像部１８は、撮影光学系を通過した被写体光を電気信号に変換して後述するＣＰＵ２６に出力する光−電気変換素子である。撮像部１８は、レンズ鏡筒１４の固定筒１４ａに対し、光軸方向撮影者側に配置されている。撮像部１８には、例えば、ＣＣＤやＣＭＯＳ等を使用することができる。
ここで、後述するＣＰＵ２６は、撮像部１８の出力に基づいて、光源である被写体の輝度に関する情報を取得できるようになっている。以下、撮像部１８の出力に基づいて被写体からの光に関する輝度情報を取得する際の動作をＴＴＬ（Through The Lens）測光と称して説明する。
【００１２】
液晶モニタ２０は、筐体１２の背面部（正面部の反対側の面部）に設けられた画像表示装置である。液晶モニタ２０は、撮影済みの画像や各種設定用のメニュー画面を表示可能になっている。
【００１３】
照度センサ２２は、筐体１２の上面部に設けられており、筐体１２の外部光の照度を測定し、後述するＣＰＵ２６に出力するようになっている。以下、照度センサ２２の出力に基づいてカメラ１０の外部の光に関する照度情報を取得する際の動作を外部測光と称して説明する。なお、照度センサ２２の配置場所は、筐体１２の上面部に限られるものではなく、筐体１２の前面（ランプ２４が設けられている面）であってもよいし、あるいは、筐体１２の側面又は背面（液晶モニタ２０が設けられている面）でもよい。
ランプ２４は、筐体１２の正面部に設けられた発光装置である。このランプ２４は、例えば、ＡＦ（オートフォーカス）制御を行う際に被写体に対して光（ＡＦ補助光）を発光するようになっている。
【００１４】
ＣＰＵ２６は、上述したレンズ鏡筒１４を駆動する不図示のアクチュエータ、撮像部１８、液晶モニタ２０、及び、照度センサ２２を含むカメラを構成する各要素を統括的に制御する制御部である。
ＣＰＵ２６は、判定部２６ａを備えている。この判定部２６ａは、撮像部１８及び照度センサ２２の出力に基づいて装着部１２ａにレンズキャップ１６が装着されているか否かを判定する部分である。判定部２６ａが行う判定手順については、後述する。
【００１５】
カメラ１０は、電源オフ状態においてレンズ鏡筒１４が収容状態とされ、図示しない電源スイッチがオン操作されると、レンズ鏡筒１４が突出状態に移行して撮影可能となる。
ここで、仮にレンズキャップ１６が装着部１２ａに装着された状態で、レンズ鏡筒１４を収容状態から突出状態に移行させると、第２移動筒１４ｃの先端部に備えられた対物レンズ群がレンズキャップ１６の裏面部に接触してその入射面が損傷する可能性がある。また、レンズキャップ１６がレンズ鏡筒１４の繰り出しを機械的に制限するので、レンズ鏡筒１４を駆動するアクチュエータやカム等の駆動機構に対して過剰な負荷を与える可能性がある。
実施形態のカメラ１０は、判定部２６ａによってレンズキャップ１６が装着部１２ａに装着されているか否かを判定し、レンズキャップ１６が装着されている場合にレンズ鏡筒１４の収容状態から突出状態への繰り出し動作を制限する。
以下、このレンズ鏡筒１４の繰り出し制限制御について、フローチャートを用いて説明する。
【００１６】
図２は、第１実施形態のカメラに備えられたＣＰＵがレンズキャップの有無に応じて行う制御を示すフローチャートである。以下、ステップ毎に説明する。
（ステップＳ０１：タイマースタート）
カメラ１０の電源スイッチがオン操作されると、ＣＰＵ２６は、電源がオンになってからの経過時間の測定を開始し（タイマースタート）、ステップＳ０２に進む。
（ステップＳ０２：発光カウンタリセット）
ＣＰＵ２６は、タイマースタートと併せて、発光カウンタをリセットしてステップＳ０３に進む。ここで、発光カウンタとは、ランプ２４を発光させた回数をＣＰＵ２６が記憶するものであり、ランプ２４を一回発光させるごとにカウンタがひとつ進行するようになっている。
【００１７】
（ステップＳ０３：ＴＴＬ測光による輝度検出）
ＣＰＵ２６は、撮像部１８からの出力に応じて、撮像光学系を通過した光に基づいて撮影光学系を介した撮影範囲内に存在する輝度、すなわち、被写界内における被写体の輝度を検出する。
ここで、撮像部１８には、例えば、装着部１２ａにレンズキャップ１６が装着されている場合等、被写体の輝度が実質的にゼロである状態で電源が供給されると暗電流が流れる。判定部２６ａは、この暗電流を検出してカメラ１０の筐体１２の外部が暗闇であるか否かを判定するようになっている。
そして、判定部２６ａからの出力によってカメラ１０の筐体１２の外部が暗闇であると判定した場合には、ステップＳ０４に進む。また、撮像部１８からの出力によってカメラ１０の筐体１２の外部が暗闇でないと判定した場合には、ステップＳ１１に進む。
【００１８】
（ステップＳ０４：経過時間判定）
ＣＰＵ２６は、タイマーからの出力に基づいて電源がオン操作されてからの経過時間を検出し、経過時間が、例えば、３０秒未満である場合にはステップＳ０５に進む。一方、電源がオン操作されからの経過時間が、例えば、３０秒以上である場合には、ステップＳ１２（電源オフ）に進む。
【００１９】
（ステップＳ０５：発光カウント判定）
ＣＰＵ２６は、ランプ２４にＡＦ補助光を発光させた回数を判定する。ランプ２４がＡＦ補助光を発光する条件については、後に説明する。そして、ランプ２４の発光回数が、例えば、３回以下である場合には、ステップＳ０６に進み、発光回数が、例えば、４回以上である場合には、ステップＳ１２（電源オフ）に進む。
【００２０】
（ステップＳ０６：外部測光による輝度検出）
ＣＰＵ２６は、照度センサ２２の出力から筐体１２の外部における照度情報を取得し、この照度情報に基づいて筐体１２の外部が暗闇であるか否かを判定する。例えば、カメラ１０が収容ケースや鞄等に収容されている場合や周囲が実際に暗闇である場合等には、ＣＰＵ２６は、筐体１２の外部が暗闇であると判定し、ステップＳ０７に進む。これに対し、照度センサ２２の出力に基づいて筐体１２の外部が暗闇でないと判定した場合には、ＣＰＵ２６は、ステップＳ０９に進む。
【００２１】
（ステップＳ０７：ＡＦ補助光点灯）
ＣＰＵ２６は、ランプ２４に命令を発信してランプ２４を点灯させる。ランプ２４は、ＡＦ時に補助光を被写体に向けて発する場合と同様に光を発する（ステップＳ０８に進む）。
ここで、カメラ１０は、レンズキャップ１６が装着されていなくても、その周囲が暗闇であるとステップＳ０３からステップＳ０４に進む可能性がある。しかし、ＡＦ補助光を発光させるので、ＣＰＵ２６は、ステップＳ０３（ＴＴＬ測光）に戻ったときに、このＡＦ補助光の反射光によって、レンズキャップ１６が装着されているか否かを正確に判定できる。
【００２２】
（ステップＳ０８：発光カウント）
ＣＰＵ２６は、ランプ２４に対する発光命令を発信するごとに、その回数をカウントし、発光回数を記憶する。
この後、ＣＰＵ２６は、ステップＳ０３に戻り、同様の処理を繰り返す。ただし、処理開始から、例えば、３０秒以上経過した場合には、ステップＳ１２に進み電源オフ制御が行われる（ステップＳ０４）。また、ランプ２４によるＡＦ補助光の発光を４回行った後も、同様にステップＳ１２に進み電源オフ制御が行われる（ステップＳ０５）。
【００２３】
（ステップＳ０９：レンズ鏡筒繰出制限）
ステップＳ０３におけるＴＴＬ測光の結果、カメラ１０の周辺が暗闇であり、かつ、ステップＳ０６における外部測光の結果、カメラ１０の周囲が暗闇でないと判定された場合、すなわち、レンズキャップ１６が装着部１２ａに装着されていると判定した場合、このステップが実行され、ＣＰＵ２６は、判定部２６ａの出力に応じてレンズ鏡筒１４を駆動するアクチュエータを制御し、レンズ鏡筒１４が収納状態から突出状態に移行しないように繰出制限制御を行う（ステップＳ１０に進む）。この繰出制限制御は、電気的又はソフト的にレンズ鏡筒１４の先端がレンズキャップ１６の裏面に当接しないように第２移動筒１４ｃの繰出量を制限してもよいし、レンズ鏡筒１４の繰出動作自体を禁止してもよい。
【００２４】
（ステップＳ１０：警告表示）
次いで、ＣＰＵ２６は、液晶モニタ２０に、例えば、「キャップが付いたままです」等の文字情報を表示して、撮影者等にレンズキャップ１６を取り外すように促す。ＣＰＵ２６は、ステップＳ０３に戻り、同様の処理を繰り返す。ここで、撮影者等がこの警告に応じてレンズキャップ１６を取り外すと、次のステップＳ０３におけるＴＴＬ測光の結果、カメラ１０の外部が暗闇でないと判定されるので、レンズ鏡筒１４が繰り出されて撮影が可能となる。
【００２５】
（ステップＳ１１：レンズ鏡筒繰出可能制御）
判定部２６ａは、レンズキャップ１６が装着部１２ａに装着されていないと判定し、ＣＰＵ２６は、判定部２６ａの出力に応じてレンズ鏡筒１４を駆動するアクチュエータに駆動許可信号を発信する。これによって、レンズ鏡筒１４は収容状態から突出状態に移行し、カメラ１０は、撮影可能な状態となる。
（ステップＳ１２：電源オフ制御）
判定部２６ａは、レンズキャップ１６が装着部１２ａに装着されているとみなし、ＣＰＵ２６は、判定部２６ａの出力に応じてカメラ１０に含まれる各電気要素に対するバッテリー（図示省略）からの電源供給をストップさせる電源オフ制御を行う。
【００２６】
以上説明した第１実施形態のカメラ１０によれば、以下の効果を得ることができる。
（１）レンズキャップ１６の有無の検出を、撮像部１８及び照度センサ２２が取得する光の明るさに関する情報（輝度情報及び照度情報）に基づいて行うので、レンズキャップ検出用の機械的なスイッチや電気接点を別途設ける必要がない。したがって、カメラ１０の部品点数の増加及びコストアップを防止できる。
【００２７】
（２）レンズキャップ１６が装着された状態でカメラ１０の電源をオンにすると、レンズ鏡筒１４の繰り出し動作が制限されるので、レンズ鏡筒１４がレンズキャップ１６に干渉することがなく、対物レンズ群の損傷を防止できる。また、レンズ鏡筒１４を駆動するアクチュエータやカム機構に過負荷がかかることも防止できる。
（３）外部測光の結果に応じてＡＦ補助光を発光させるから、レンズキャップ１６の有無を確実に判定できる。例えば、夜間の屋外等においてＴＴＬ測光及び外部測光の結果、ともにカメラ１０の周囲が暗闇であると判定された場合であっても、ＡＦ補助光が点灯するので、ＴＴＬ測光の結果によりレンズキャップ１６の有無を判定できる。したがって、このような状況下であってもレンズ鏡筒１４の繰り出しが制限されて撮影ができなくなることがない。
（４）カメラ１０が照度センサ２２からの出力に基づいて、液晶モニタ２０の表示輝度を自動的に適切な輝度に調整する表示輝度自動調整機能を備えている場合には、照度センサ２２を共用できるので、部品点数の増加及びコストアップを防止できる。
【００２８】
［第２実施形態］
次に、本発明を適用したカメラの第２実施形態について説明する。この第２実施形態において、上述した第１実施形態と同様な機能を果たす部分、同様な制御を行う部分には、同一の符号又は末尾に統一した符号を付して、重複する説明や図面を適宜省略する。
第１実施形態のカメラ１０がＴＴＬ測光及び外部測光を行った結果、カメラ１０の周辺が暗闇であると判定された場合にランプ２４を点灯させるのに対し、第２実施形態のカメラ１１０（カメラ１１０は、図示を省略する）は、最初にランプ２４を点灯させ、ランプ２４が発する光に照らされた被写体の輝度をＴＴＬ測光によって測光し、この結果に基づいてカメラ１１０にレンズキャップ１６が装着されているか否かを判定するようになっている。
なお、第２実施形態のカメラ１１０の構成は、第１実施形態のカメラ１０と略同じであるので、構造の説明を省略してＣＰＵ２６が行う制御について説明する。ただし、第２実施形態のカメラ１１０は、照度センサ２２を備えていなくてもよい。
【００２９】
図３は、第２実施形態のカメラに備えられたＣＰＵがレンズキャップの有無に応じて行う制御を示すフローチャートである。以下、ステップ毎に説明する。
（ステップＳ１０１：タイマースタート、ステップＳ１０２：発光カウンタリセット）
ＣＰＵ２６は、電源スイッチのオン操作に応じてタイマーによる経過時間の測定をスタートし（ステップＳ１０１）、これと併せて、発光カウンタをリセットする（ステップＳ１０２）。
【００３０】
（ステップＳ１０３：ＡＦ補助光点灯、ステップＳ１０４：発光カウント）
ＣＰＵ２６は、ランプ２４に命令を発信してＡＦ補助光を発光させ（ステップＳ１０３）、その発光回数をカウントする（ステップＳ１０４）。
【００３１】
（ステップＳ１０５：ＴＴＬ測光による輝度検出）
ＣＰＵ２６は、撮像部１８からの出力に応じて、撮像光学系を通過した光に基づいて被写界内の被写体の輝度を検出する。ここで、撮像部１８は、ランプ２４によるＡＦ補助光の発光前後において輝度を検出し、判定部２６ａは、この輝度情報の変化に基づいてレンズキャップ１６が装着部１２ａに装着されているか否かを判定する。判定部２６ａは、この輝度情報の変化がなかった場合には、装着部１２ａにレンズキャップ１６が装着されていると判定し、輝度情報の変化があった場合には、装着部１２ａにレンズキャップ１６が装着されていると判定する。
そして、ＣＰＵ２６は、レンズキャップ１６が装着されていると判定された場合には、ステップＳ１０６に進み、レンズキャップ１６が装着されていないと判定された場合には、ステップＳ１１０に進む。
【００３２】
（ステップＳ１０６：経過時間判定）
ＣＰＵ２６は、タイマーからの出力に基づいて電源がオン操作されてからの経過時間を検出し、経過時間が、例えば、３０秒未満である場合にはステップＳ１０７に進む。一方、電源がオン操作からの経過時間が、例えば、３０秒以上である場合には、ステップＳ１１１（電源オフ）に進む。
【００３３】
（ステップＳ１０７：発光カウント判定）
ＣＰＵ２６は、ＡＦ補助光を発光させた回数を判定する。この発光回数が、例えば、３回以下である場合には、ステップＳ１０８に進む。これに対し、発光回数が、例えば、４回以上である場合には、ステップＳ１１１（電源オフ）に進む。
【００３４】
（ステップＳ１０８：レンズ鏡筒繰出制限、Ｓ１０９：警告表示）
ステップＳ１０５におけるＴＴＬ測光の結果、判定部２６ａが装着部１２ａにレンズキャップ１６が装着されていると判定した場合、ＣＰＵ２６は、レンズ鏡筒１４を駆動するアクチュエータを制御し、レンズ鏡筒１４が収納状態から突出状態に移行しないように、ステップＳ０９（図２参照）で既述したような繰出制限制御を行う（ステップＳ１０８）。
また、ＣＰＵ２６は、液晶モニタ２０にステップＳ１０（図２参照）で既述したような警告を表示して撮影者等にレンズキャップ１６を取り外すように促す（ステップＳ１０９）。
【００３５】
ＣＰＵ２６は、ステップＳ１０３に戻り、同様の処理を繰り返す。そして、タイマースタートから３０秒以内であり、かつ、ランプ２４の発光回数が４回以下の場合にレンズキャップ１６が取り外されれば、ステップＳ１０５において、レンズキャップ１６が装着されていないと判定されるので、ステップＳ１１０に進み撮影が可能となる。
以上説明した第２実施形態は、撮像部１８の出力のみによってレンズキャップ１６が装着されているか否かを判定するから、構造が簡単である。
【００３６】
［変形形態］
本発明は、以上説明した実施形態に限定されることなく、種々の変形や変更が可能であって、それらも本発明の技術的範囲内である。
（１）本発明の撮影装置の構成は、実施形態に記載したものに限定されず、適宜変更が可能である。例えば、撮影装置は、静止画を撮影する用途に用いるスチルカメラであっても、動画を撮影機能を有するムービーカメラであってもよい。
（２）第１実施形態のカメラは、外部測光の結果、被写体の輝度が実質的にゼロであった場合にＡＦ補助光を点灯させたが、これに限らず、ＡＦ補助光を点灯させずに、撮像部の出力と照度センサの出力とを比較して、レンズキャップの有無を判定してもよい。ＡＦ補助光を点灯させなくても警告に応じて撮影者等がレンズキャップを装着部から取り外せば、ＴＴＬ測光と外部測光との出力に差分が生じるので、これによってレンズキャップの有無を判定することができるからである。この場合であっても、タイマーの出力によって電源オフ制御が行われるので、警告が発信され続けることが防止される。
（３）実施形態のカメラは、撮像部によってＴＴＬ測光を行うが、これに限らず、ＴＴＬ測光を行う測光素子を別途筐体内に設けてもよく、例えば、自動露出制御（ＡＥ制御）用の測光素子によってＴＴＬ測光を行ってもよい。このような測光素子は、一部のカメラに予め設けられているので、コストアップすることなくＴＴＬ測光を行うことができる。この場合、撮像装置は、撮像部が銀塩フィルムであるフィルムカメラでもよい。
（４）実施形態のカメラは、ＡＦ補助光を点灯させたが、これに限られず、例えば、閃光発光装置（フラッシュ装置）や、セルフタイマー作動時に点滅するランプ等の各種の発光装置を発光させてもよい。
また、発光回数に応じて、これら複数種類の発光装置を切り替えて発光させてもよい。例えば、１回目の発光に、光量の小さい発光装置（例えば、ＡＦ補助光発光装置）を用い、２回目以降の発光に１回目よりも光量の大きな発光装置（例えば、閃光発光装置）を用いてもよい。さらに、ひとつの発光装置を用い、発光回数に応じて光量を変化させてもよい。
また、照度センサの出力に応じて発光装置を変更させてもよく、例えば、比較的照度が高い（カメラの周囲が明るい）場合には、光量の大きい発光装置を発光するようにするとよい。
（５）実施形態のカメラは、レンズキャップが装着されている場合にレンズ鏡筒の繰り出しを制限するとともに、撮影者等にレンズキャップを取り外すように促す警告を発する制御を行ったが、レンズキャップの有無に応じてカメラが行う制御は、これに限られない。
他の制御の一例としては、例えば、撮影終了後等にレンズ鏡筒が収容状態となった状態でレンズキャップの有無を検出し、レンズキャップが装着されていない場合にこの旨を撮影者等に警告してレンズキャップの装着を促す制御を行ってもよい。
また、撮影終了後（収容状態に移行後）に実施形態と同様にＴＴＬ測光及び外部測光を行い、レンズキャップが装着されていると判定した場合に、カメラの電源を自動的にオフにする制御を行ってもよい。
（６）第１実施形態のカメラは、照度センサによって外部測光を行ったが、外部測光は、これに限らず、例えば、輝度計や光量計等、明るさに関する情報を取得できる他の検出装置によって行ってもよい。
（７）実施形態のカメラは、電源オン時にレンズキャップが装着されている場合に液晶モニタに文字によって警告を発したが、警告の発信方法は、これに限らず、例えば、音（音声）によってレンズキャップが装着されている旨を撮影者等に警告してもよい。
【図面の簡単な説明】
【００３７】
【図１】第１実施形態のカメラの構成を示す図である。
【図２】第１実施形態のカメラに備えられたＣＰＵがレンズキャップの有無に応じて行う制御を示すフローチャートである。
【図３】第２実施形態のカメラに備えられたＣＰＵがレンズキャップの有無に応じて行う制御を示すフローチャートである。
【符号の説明】
【００３８】
１０  カメラ  ：  １２  筐体  ：  １２ａ  装着部  ：  １４  レンズ鏡筒  ：  １６  レンズキャップ  ：  １８  撮像部  ：  ２２  照度センサ  ：  ２４  ランプ  ：  ２６  ＣＰＵ  ：  ２６ａ  判定部
【図１】
2008158058.tif 000003
【図２】
2008158058.tif 000004
【図３】
2008158058.tif 000005